(57)【要約】【課題】携帯移動通信端末を各種電化機器共通の汎用リモートコントローラとして動作させ、利用者の利便性向上を図る。【解決手段】本発明の携帯移動通信端末は赤外線送信部１０７、デジタルカメラ１０８、表示パネル１０６と制御部１０３を備えている。この制御部は複数の遠隔制御方式の規格を表示パネルに表示し、表示された規格の一つをキーパッド１０５から入力される指示信号に応じ選択し、前記デジタルカメラが撮影した二次元バーコード１１０を解析しこれを選択された規格の遠隔制御方式に準拠した制御信号に変換する。赤外線送信部１０７は赤外線をこの制御信号により変調し対象の電化機器１１１に向けて照射する。【選択図】図１
2007258993.tif 000002
【特許請求の範囲】
【請求項１】
赤外線を入力信号により変調し放射する赤外線送信手段と、デジタルカメラと、表示パネルと、利用者の操作に応じ指示信号を生成する手動入力手段と、制御手段とを備え、該制御手段は、複数の遠隔制御方式の規格を前記表示パネルに表示し、表示された前記規格の一つを前記入力手段の指示信号に応じて選択し、前記デジタルカメラが撮影した二次元バーコードを解析し前記選択された規格の遠隔制御方式に準拠した制御信号に変換し、該制御信号を前記赤外線送信手段に、該送信手段の入力信号として供給することを特徴とする携帯移動通信端末。
【請求項２】
前記制御手段は、制御プログラムを格納するメモリを備え、前記手動入力手段の指示信号に応じ該制御プログラムを起動し、該プログラムに従って前記撮影されたバーコードを解析し前記選択された規格の遠隔制御方式に準拠した制御信号に変換することを特徴とする請求項１の携帯移動通信端末
。
【請求項３】
前記制御手段は、前記プログラムに従って複数の遠隔制御方式の規格を前記表示パネルに表示することを特徴とする請求項２の携帯移動通信端末
。
【請求項４】
前記制御手段は無線インターフェースを介しネットワークに接続する機能を有し、前記制御プログラムを該ネットワークから取得し、前記メモリに格納することを特徴とする請求項３または４の携帯移動通信端末
。
【請求項５】
前記制御情報はテレビジョンの放送チャネルおよび放送時間を表すことを特徴とする請求項１の携帯移動通信端末。
【請求項６】
前記制御情報は電子レンジを制御するための加熱シーケンスを表すことを特徴とする請求項１の携帯移動通信端末。
【請求項７】
a)  複数の遠隔制御方式の規格を携帯移動通信端末の表示パネルに表示するステップ、
ｂ）表示された該規格の一つを該携帯移動通信端末の入力手段を介して供給される利用者の指示に応じて選択するステップ、
ｃ）該携帯移動通信端末のデジタルカメラを起動するステップ、
ｄ）前記入力手段を介して供給される利用者の指示に応じ二次元バーコードを該デジタルカメラで撮影するステップ、
e)該撮影された二次元バーコードを解析し前記ステップ(b)で選択された規格の遠隔制御方式に準拠した制御信号に変換するステップ、および
f)  赤外線を該制御信号により変調し対象装置に向けて放射するステップを含むことを特徴とする遠隔制御方法。
【請求項８】
前記ステップ(d)は撮影準備完了メッセージを表示することを特徴とする請求項７の遠隔制御方法。
【請求項９】
前記ステップ(e)は前記制御信号が正しく変換されたか否か判定し、正しく変換されていないと判定した場合再試行メッセージを表示することを特徴とする請求項６，７または８の遠隔制御方法。
【請求項１０】
前記ステップ(e)が前記制御信号は正しく変換されたと判定した場合、前記ステップ(f)は送信準備完了メッセージを表示することを特徴とする請求項９の遠隔制御方法。
【請求項１１】
前記制御情報はテレビジョンの放送チャネルおよび放送時間を表すことを特徴とする請求項７の遠隔制御方法。
【請求項１２】
前記制御情報は電子レンジを制御するための加熱シーケンスを表すことを特徴とする請求項７の遠隔制御方法。
【請求項１３】
前記携帯移動通信端末の無線インターフェースを介しネットワークに接続し制御プログラムを該ネットワークから取得するステップを有し、前記ステップ(e)は該制御プログラムを実行し前記バーコードを解析することを特徴とする請求項６の遠隔制御方法。
【請求項１４】
請求項７乃至１３の遠隔制御方法を実施するための制御プログラム。
【発明の詳細な説明】
【技術分野】
【０００１】
本発明は電化機器を遠隔制御する携帯移動通信端末、遠隔制御方法および遠隔制御プログラムに関する。一例として、番組予約情報などを符号化した二次元バーコードを撮影しこれを録画予約制御信号に変換し、赤外線をこの制御信号により変調し対象の受像装置に照射する技術に関する。
【背景技術】
【０００２】
使用する電化機器毎に固有のリモートコントローラが存在しているため、ユーザが複数の電化機器を保有していると複数のリモートコントローラを使い分けねばならない。例えば、ビデオの録画予約をする場合、予約日時と予約チャンネルの設定、設定した情報の送信が一連の操作として必要である。これらの操作はメーカ毎に、また製品毎に異なるため、ユーザの利便性が阻害されている。
【０００３】
携帯電話端末を利用する従来技術として下記の特許文献１と２が知られている。特許文献１が開示する携帯電話端末はURL、メールアドレス、電話番号など携帯電話の基本機能としての文字情報を二次元バーコードとして符号化し、携帯電話の内蔵デジタルカメラを利用してこの二次元バーコードの画像情報を読取り、元の文字情報に復号している。また、特許文献２は携帯電話端末を用いて家電機器などの予約操作を可能とする技術に関するもので、対象電化機器付属のリモートコントローラにアンテナと無線受信回路を設けている。ユーザは先ず携帯電話のメニューからリモコン機能を選択し、つぎに遠隔制御信号をリモートコントローラの無線受信回路に送信する。該リモートコントローラは受信した制御信号で赤外線を変調し、変調された赤外線を対象の電化機器に向けて照射する。
【特許文献１】特開２００３−１９８６７４
【特許文献２】特開平１１−２８４７５７
【発明の開示】
【発明が解決しようとする課題】
【０００４】
特許文献１は携帯電話が内蔵するデジタルカメラと二次元バーコードを読み取る技術を開示しているが、文字情報の読み取りに限定された機能のみを提供するものであり、各種の家電機器を制御する技術は示唆されていない。また、特許文献２の場合リモートコントローラ側に携帯電話端末からの信号を受信する無線受信回路を具備する必要がある。さらに、開示された携帯電話端末には各種の家電機器に対応した制御情報が保存されていないため、遠隔制御の種類は電源のON/OFFなど単純な機能に限定される。
【０００５】
したがって、本発明は、家電機器付属のリモートコントローラの代わりとなって機能しユーザが全ての電化機器に対して汎用的に遠隔操作できる携帯電話端末を提供することを目的とする。
【課題を解決するための手段】
【０００６】
本発明第一の観点から本発明の携帯移動通信端末は、赤外線を入力信号により変調し放射する赤外線送信手段、制御情報を符号化した二次元バーコードを撮影するデジタルカメラ、表示パネル、利用者の操作に応じ指示信号を生成する手動入力手段、および制御手段を備え、該制御手段は、複数の遠隔制御方式の規格を前記表示パネルに表示し、表示された該規格の一つを前記入力手段の指示信号に応じ選択し、前記デジタルカメラが撮影したバーコードを解析し前記選択された規格の遠隔制御方式に準拠した制御信号に変換し、該制御信号を前記赤外線送信手段に、該送信手段の入力信号として、供給することを特徴とする。
【０００７】
本発明第二の観点から本発明の遠隔制御方法は、複数の遠隔制御方式の規格を携帯移動通信端末の表示パネルに表示するステップ、表示された該規格の一つを該携帯移動通信端末の入力手段を介して供給される利用者の指示に応じて選択するステップ、該携帯移動通信端末のデジタルカメラを起動するステップ、前記入力手段を介して供給される利用者の指示に応じ制御情報を符号化した二次元バーコードを該デジタルカメラで撮影するステップ、該撮影された二次元バーコードを解析し前記選択された規格の遠隔制御方式に準拠した制御信号に変換するステップ、および赤外線を該制御信号により変調し対象装置に向けて放射するステップを含むことを特徴とする。
【０００８】
更に、本発明第三の観点から本発明の遠隔制御プログラムは複数の遠隔制御方式の規格を携帯移動通信端末の表示パネルに表示するステップ、表示された該規格の一つを該携帯移動通信端末の入力手段を介して供給される利用者の指示に応じて選択するステップ、該携帯移動通信端末のデジタルカメラを起動するステップ、前記入力手段を介して供給される利用者の指示に応じ制御情報を符号化したバーコードを該デジタルカメラで撮影するステップ、該撮影されたバーコードを解析し前記選択された規格の遠隔制御方式に準拠した制御信号に変換するステップ、および赤外線を該制御信号により変調し対象装置に向けて放射するステップを含むことを特徴とする。
【発明を実施するための最良の形態】
【０００９】
（構成と機能の説明）
図１は本発明の移動携帯電話端末の構成と、対象となる電化機器とを示す。以下、電化機器として放送番組を受像する受像装置を例に説明する。本発明の携帯電話端末１００は、アンテナ１０２を介し最寄りの移動通信網の基地局と無線リンクを設定する公知の無線インターフェース１０１を有し、公知の方法による電話モードとパケットモードで動作する。即ち、電話モードのとき該インターフェースは制御部１０３と連携し該携帯通信網と送受話回路（図示省略）との間で音声信号の授受を行い、パケットモード時、制御部１０３はキーパッド１０５および表示パネル１０６と、必要に応じデジタルカメラ１０８と連携しキーパッド１０５からの入力データとデジタルカメラ１０８が撮影した画像をネットワークに送信する。端末１００は制御部１０３に接続するメモリ１０４を有し、送受信したデータを保存する。
【００１０】
これらの通常の通信機能に加え移動携帯通信端末１００はテレビジョン放送番組を受信する受像装置１１１の遠隔制御機器、即ちリモコンの代わりとして、該受像装置を制御する遠隔制御モードを有する。この目的のため、端末１００は対象の受像装置１１１に向けて赤外線を照射する赤外線送信部１０７を具備する。また、前記メモリ１０４は放送番組予約プログラムを格納する。遠隔制御モードのとき、制御部１０３はこの放送番組予約プログラムを実行する。複数の番組予約情報を符号化した二次元バーコードとこれらに対応する番組名が記載された紙面があり、ユーザは該当する二次元バーコード１１０の画像をデジタルカメラ１０８により撮像する。
【００１１】
後述のように制御部１０３はこの画像を解析し、対象の受像装置１１１のリモコン規格に対応した予約制御信号に変換する。赤外線送信部１０７はこの予約制御信号により受像装置１１１に向け照射される赤外線を変調する。
二次元バーコードとして特開２００３−１９８６７４に用いられている技術を用いることが好ましい。
【００１２】
図２は制御部１０３が遠隔制御モードで実行されるプログラムのフローチャートを示す。携帯端末１００のユーザがキーパッド１０５を介して起動信号を供給すると（ステップ２０１）、制御部１０３はメモリ１０４に格納されている予約(制御)プログラムを読み出し起動する（ステップ２０２）。ステップ２０３において、図３に示すように制御部１０３は表示パネル１０６に複数のリモコン規格名を示すリスト３０１とユーザにこのリストからいずれか一つの規格を選択すること要求する選択要求３０２を表示する。
【００１３】
ユーザは携帯移動通信端末１００のカーソルキー（図示省略）を操作し、表示されたリストから受像装置１１１のリモコン規格を選択すると選択指示が制御部１０３に入力する（ステップ２０４）。制御部１０３はカーソル位置が示すリモコン規格を選択し、これを表示パネル１０６に表示する（ステップ２０５）。例えば、A規格が選択されると図４に示すようにA規格名４０１が表示される。次に、ステップ２０６に進み制御部１０３はデジタルカメラ１０８を起動する。
【００１４】
ステップ２０７において、制御部１０３は、デジタルカメラ１０８からの画像信号と撮影準備完了メッセージ４０２を表示パネル１０６に表示する。ユーザはデジタルカメラ１０８のファインダを通して希望の放送番組の予約情報（番組名と放送時間帯）を符号化した二次元バーコードの画像が表示パネルの中央に位置するよう調整し、シャッターを作動し該バーコードを撮影する。デジタルカメラ１０８のシャッターが作動すると、制御部１０３はこれを検知し（ステップ２０８）、ステップ２０９に進み撮影された二次元バーコードを走査しメモリ１０４の予約プログラムに従い解析する。ステップ２１０において、制御部１０３は解析された二次元バーコードを先に選択されたリモコン規格に準拠した予約制御信号に変換し、検証ステップ２１１で正しく変換されたか否か検証する。
【００１５】
また、好適実施例として、制御部１０３は無線インターフェース１０１を介しインターネットに接続し、ステップ２０９，２１０で行う解析変換作業の論理を記述するアプリケーションをダウンロードする。これにより、最新のアプリケーションをインターネットからダウンロードし、メモリ１０４に保存し既存のアプリケーションを更新すれば最新の電化機器に容易に対応することができる。
【００１６】
ステップ２１１での検証の結果、変換に失敗したことが判明すると制御部１０３はステップ２１６に進み再試行要求メッセージを表示パネルに表示し、ステップ２０７に戻り二次元バーコードを撮影し、変換結果を再び検証する。ステップ２１１での検証の結果、変換に成功したことが判明すると制御部１０３はステップ２１２に進み送信準備完了メッセージ５０１（図５）を表示パネルに表示し、判定ステップ２１３に進みユーザからの送信指示を待つ。
【００１７】
ユーザからの送信指示があると、制御部１０３はステップ２１３からステップ２１４に進み予約制御信号を赤外線送信部１０７に供給する。赤外線送信部１０７は制御部１０３からの入力信号により赤外線を変調し対象の受像装置１１１に向け照射する。一方、制御部１０３は
ステップ２１５で表示パネル１０６に送信中であることを表すメッセージ５０２を表示する。
【００１８】
受像器１１１は受信した赤外線から予約制御信号を検出し、ユーザが希望する放送番組を予約する。
【００１９】
本発明の対象となる電化機器は上述のテレビの受像機のほかに電子レンジの制御に利用できる。例えば、料理雑誌に掲載されている料理手順を符号化した二次元バーコードを撮影し、これを制御信号に変換し赤外線で電子レンジに送信する。電子レンジは、はじめ低温で5分間暖めて、その後、高温で5分間暖める、ということが可能になる。
【００２０】
上述の如く、本発明は携帯移動通信端末の標準装備であるデジタルカメラと赤外線送信機能を利用することにより各種のリモートコントローラの代わりとして対象の電化機器に汎用的に制御作用を及ぼすため、ユーザは複数のリモートコントローラを選択する煩雑さから開放される。
【００２１】
また、電化機器を遠隔制御設定のために二次元バーコードを使用しているので二次元バーコード情報変換用に複数のアプリケーションをメモリに格納すれば各種の電化機器に対応することができる。さらに、従来行われているキー操作による設定作業が省略でき誤入力を防止できる。
【００２２】
さらに、本発明はハードウェアの追加変更を必要としないため実施が容易である。
【図面の簡単な説明】
【００２３】
【図１】本発明の携帯電話端末を表すブロック図。
【図２】図１の携帯電話端末の制御部の動作を示すフローチャート。
【図３】リモコン規格を選択するときの表示内容を示す図 。
【図４】撮影準備完了時の表示内容を示す図 。
【図５】送信準備完了時の表示内容を示す図 。
【符号の説明】
【００２４】
１００  携帯電話端末
１０１  無線インターフェース
１０３  制御部
１０４  メモリ
１０５  キーパッド
１０６  表示パネル
１０７  赤外線送信部
１０８  デジタルカメラ
１１０  二次元バーコード
１１１  受像装置
【図１】
2007258993.tif 000003
【図２】
2007258993.tif 000004
【図３】
2007258993.tif 000005
【図４】
2007258993.tif 000006
【図５】
2007258993.tif 000007